(57)【要約】【課題】情報資料リストと、その情報資料リストに対応される各情報資料を同一画面上で一括的に分析できるようにし、分析時の効率性向上のための多様な付加機能を備える情報分析システムを提供する。【解決手段】外部から情報資料リストおよびその情報資料リストに係わる情報資料が入力される外部インターフェースモジュール１１０と、外部インターフェースモジュール１１０によって入力された情報資料リストおよび情報資料を保存するデータベース１２０と、データベース１２０に保存された情報資料リストの各項目に情報資料をそれぞれ対応させて初期化するデータ初期化モジュール１３０と、初期化された情報資料リストをディスプレイし、情報資料リストの中から選択された項目に対応される少なくとも１つの情報資料を同一画面にディスプレイするデータディスプレイモジュール１４０とを備える。【選択図】図１
2007219574.tif 000002
【特許請求の範囲】
【請求項１】
外部から情報資料リストおよび前記情報資料リストに係わる情報資料が入力される外部インターフェースモジュールと、
前記外部インターフェースモジュールによって入力された情報資料リストおよび情報資料を保存するデータベースと、
前記データベースに保存された情報資料リストの各項目に前記情報資料をそれぞれ対応させて初期化するデータ初期化モジュールと、
前記初期化された情報資料リストをディスプレイし、前記情報資料リストの中から選択された項目に対応される少なくとも１つの情報資料を同一画面にディスプレイするデータディスプレイモジュールとを含むことを特徴とする情報分析システム。
【請求項２】
前記情報資料がイメージ基盤の文書であることを特徴とする請求項１に記載の情報分析システム。
【請求項３】
前記情報資料がテキスト基盤の文書であることを特徴とする請求項１に記載の情報分析システム。
【請求項４】
前記情報資料は特許公報であり、前記情報資料リストは特許公報リストであることを特徴とする請求項１ないし請求項３のいずれか１項に記載の情報分析システム。
【請求項５】
前記データディスプレイモジュールは、
特許情報分析のための各種機能が選択できる基本メニュー領域と、
前記特許公報リストおよび前記特許公報リストの各項目に対応された特許公報を同一画面にディスプレイするデータディスプレイ領域と、
前記データディスプレイ領域にディスプレイされた特許公報リストにおいてキーワード入力を通じて所望の特許公報が検索できるようにする検索領域と、
前記データディスプレイ領域にディスプレイされた特許公報リストおよび特許公報が操作できる作業機能を提供する作業領域と、
前記データディスプレイ領域にディスプレイされた特許公報リストおよび特許公報の情報をディスプレイする状態ディスプレイ領域とを含むことを特徴とする請求項４に記載の情報分析システム。
【請求項６】
前記検索領域は、前記ディスプレイされた特許公報リストにおいて公報番号検索，重要度検索，コード検索およびコメント検索を行うことができる検索ウィンドウの少なくともいずれか１つを備えることを特徴とする請求項５に記載の情報分析システム。
【請求項７】
前記データディスプレイ領域は、
前記特許公報リストをディスプレイする前記特許公報リストのディスプレイ領域と、
前記特許公報リストの中から選択された少なくともいずれか１つの特許公報をディスプレイする前記特許公報のディスプレイ領域とを含むことを特徴とする請求項５に記載の情報分析システム。
【請求項８】
前記特許公報リストのディスプレイ領域および前記特許公報のディスプレイ領域の配置は、前記基本メニュー領域の特定メニューによって設定可能であることを特徴とする請求項７に記載の情報分析システム。
【請求項９】
前記作業領域は、
前記データディスプレイ領域によって表示される特許公報リストから特定の特許公報に速やかに移動できるようにする特許公報ショートカット機能および前記特定の公報内から特定ページまたは識別項目に速やかに移動できるようにするページ／識別項目ショートカット機能を提供するブックマーク作業領域と、
前記データディスプレイ領域によってディスプレイされる特許公報内で少なくとも１つ以上のキーワードが検索できる検索機能を提供するキーワード検索領域と、
前記データディスプレイ領域によってディスプレイされる特許公報から所望の部分に速やかに移動できるようにする特許公報ナビゲーション領域とを含むことを特徴とする請求項５に記載の情報分析システム。
【請求項１０】
前記ブックマーク作業領域で提供されるショートカット機能は、階層構造の管理が可能であることを特徴とする請求項９に記載の情報分析システム。
【請求項１１】
前記特許公報ナビゲーション領域は、選択された特許公報をページ別に自動ディスプレイする自動表示機能を行うことができ、前記自動表示機能を行う際の範囲別設定およびページ転換時間は、前記基本メニュー領域の特定メニューを用いて設定可能であることを特徴とする請求項９に記載の情報分析システム。
【請求項１２】
前記特許公報リストの各項目に対応される特許公報には、ユーザが特許分析による重要性の如何に応じて差のある重要度情報を与えることができることを特徴とする請求項５に記載の情報分析システム。
【請求項１３】
前記特許公報リストの各項目には、対応される特許公報の技術分類によって分類コードが与えられることを特徴とする請求項５に記載の情報分析システム。
【請求項１４】
前記特許公報リストの各項目には、前記特許公報と１：１で対応する公報番号が存在することを特徴とする請求項４に記載の情報分析システム。
【発明の詳細な説明】
【技術分野】
【０００１】
本発明は、情報分析システムに関し、より詳しくは、情報分析が要求される情報資料およびその情報資料リストをより効率的に分析できるようにする情報分析システムに関するものである。
【背景技術】
【０００２】
情報化時代に入り、情報活用能力は、個人または企業の競争力を左右する重要な要素として浮上されている。この場合、情報活用能力とは、所望の情報を収集し分析することによって容易に利用できるようにする能力を意味する。
【０００３】
したがって、このような情報活用能力を高めるためには、情報網に混在されている膨大な情報資料の中で所望の分野に係わる資料のみを選別して収集し、その収集された資料を目的に応じて適切に分析できなければならない。
【０００４】
通常、新技術の開発時には、国内外に存在する各種技術資料を収集および分析することによって、競争企業の技術情報を把握する作業が基本的に先行されなければならないが、このとき、最も有用に活用できる資料の１つが知識財産権資料である。
【０００５】
前記知識財産権資料は、国内外で出願された特許，実用新案，商標およびデザインなどの公開公報または登録公報などを含む。これらの中で、特に、特許資料は新技術の開発時に必須的に検討しなければならない重要な分析対象となる。
【０００６】
例えば、公開または登録された特許資料を分析することによって、関連競争企業の技術動向を把握して、技術開発の方向を設定することができる。また、特許資料の分析を通じて、開発された技術を国内外で出願して権利化の可能如何も把握することができる。
【０００７】
このような特許資料は、発明の名称，出願人，発明者，出願番号，公開番号，登録番号，代理人，審査請求の有無などの項目が含まれる書誌情報と、発明の名称，発明の目的，実施例，発明の効果，請求項および図面などが含まれる明細書情報などを含む。この場合、各項目は、特殊記号で表示された識別項目によって区分可能である。
【０００８】
従来においては、このような特許情報の分析のために、ユーザが特許庁および専門的な特許情報提供企業のホームページを通じて、特許リストまたは公報をダウンロードする形式で特許資料を収集し、これを全部編集して分析していた。
【０００９】
例えば、分析者は、特許情報提供企業のホームページで所望のキーワードを検索した後、関連特許リストおよび公報をダウンロードして、自分のコンピュータに保存し、その特許リストと公報を全部対照しながら特許分析作業を行う。
【００１０】
この場合、前記特許リストはエクセルファイルなどの形態を有し、特許公報文書はＰＤＦファイルの形態で構成されることが一般的であるため、ユーザは、例えばエクセルプログラムとＰＤＦ再生プログラムとを交互に実行させながら作業を行わなければならない。これにより、複数プログラムの実行による作業効率の低下が生じ、一括的な分析作業も困難であるという問題点がある。
【００１１】
最近では、前記特許分析のための専用システムが提供されているが、これら専用システムも特許リストの単純編集および概略的な分析状態を自動的にグラフで示す水準にとどまっている。しかし、特許分析の特性上、分析自体の自動化は、信頼度の側面において大きな意味がないため、分析の効率性向上という側面において根本的な解決策にはならない実情である。
【発明の開示】
【発明が解決しようとする課題】
【００１２】
本発明は、このような問題点を解決するためになされたものであって、その目的は、情報資料リストと、その情報資料リストに対応される各情報資料を同一画面上で一括的に分析できるようにし、分析時の効率性向上のための多様な付加機能を備える情報分析システムを提供することにある。
【課題を解決するための手段】
【００１３】
前記目的を達成するための本発明による情報分析システムは、外部から情報資料リストおよび前記情報資料リストに係わる情報資料が入力される外部インターフェースモジュールと、前記外部インターフェースモジュールによって入力された情報資料リストおよび情報資料を保存するデータベースと、前記データベースに保存された情報資料リストの各項目に前記情報資料をそれぞれ対応させて初期化するデータ初期化モジュールと、前記初期化された情報資料リストをディスプレイし、前記情報資料リストの中から選択された項目に対応される少なくとも１つの情報資料を同一画面にディスプレイするデータディスプレイモジュールとを含む。
【００１４】
好ましく、前記情報資料はイメージ基盤の文書またはテキスト基盤の文書である。この場合、前記情報資料は特許公報であり、前記情報資料リストは特許公報リストである。
【００１５】
前記データディスプレイモジュールは、特許情報分析のための各種機能が選択できる基本メニュー領域と、前記特許公報リストおよび前記特許公報リストの各項目に対応された特許公報を同一画面にディスプレイするデータディスプレイ領域と、前記データディスプレイ領域にディスプレイされた特許公報リストにおいてキーワード入力を通じて所望の特許公報が検索できるようにする検索領域と、前記データディスプレイ領域にディスプレイされた特許公報リストおよび特許公報が操作できる作業機能を提供する作業領域、および、前記データディスプレイ領域にディスプレイされた特許公報リストおよび特許公報の情報をディスプレイする状態ディスプレイ領域とを含む。
【００１６】
前記検索領域は、前記ディスプレイされた特許公報リストにおいて公報番号検索，重要度検索，コード検索およびコメント検索を行うことができる検索ウィンドウの少なくともいずれか１つを備えることができる。
【００１７】
前記データディスプレイ領域は、前記特許公報リストをディスプレイする特許公報リストのディスプレイ領域と、前記特許公報リストの中から選択された少なくともいずれか１つの特許公報をディスプレイする前記特許公報のディスプレイ領域とを含む。
【００１８】
この場合、前記特許公報リストのディスプレイ領域および前記特許公報のディスプレイ領域の配置は、前記基本メニュー領域の特定メニューによって設定可能にするのが好ましい。
【００１９】
前記作業領域は、前記データディスプレイ領域によって表示される特許公報リストから特定の特許公報に速やかに移動できるようにする特許公報ショートカット機能および前記特定の公報内から特定ページまたは識別項目に速やかに移動できるようにするページ／識別項目ショートカット機能を提供するブックマーク作業領域と、前記データディスプレイ領域によってディスプレイされる特許公報内で少なくとも１つ以上のキーワードが検索できる検索機能を提供するキーワード検索領域および前記データディスプレイ領域によってディスプレイされる特許公報から所望の部分に速かに移動できるようにする特許公報ナビゲーション領域とを含む。
【００２０】
前記ブックマーク作業領域で提供されるショートカット機能は、階層構造の管理が可能である。前記特許公報ナビゲーション領域は、選択された特許公報をページ別に自動ディスプレイする自動表示機能を行うことができ、前記自動表示機能を行う際の範囲別設定およびページ転換時間は、前記基本メニュー領域の特定メニューを用いて設定可能である。
【００２１】
一方、前記特許公報リストの各項目に対応する特許公報には、ユーザが特許分析による重要性の如何に応じて差のある重要度情報を与えることができる。また、前記特許公報リストの各項目には、対応される特許公報の技術分類によって分類コードが与えられる。
【発明の効果】
【００２２】
本発明による情報分析システムによると、情報資料リストと、その情報資料リストに対応される各情報資料とを同一画面上で一括して分析することができ、ブックマーク機能，重要度およびコード検索などの検索機能，ナビゲーション機能，キーワード検索機能などのように、分析時の効率性向上のための多様な付加機能を提供することによって、情報分析の効率性を向上させることができる。
【発明を実施するための最良の形態】
【００２３】
以下、本発明の属する分野において通常の知識を有する者が本発明を容易に実施できるように、 添付された図面を参照しながら本発明の好ましい実施例を詳しく説明する。また、図に例示された本発明の好ましい実施例の説明において、内容の明瞭性のために特定の技術用語を使用する。しかし、本発明は、このような選択された特定用語に限らず、それぞれの特定用語は、類似する目的を達成するために、類似する方式で動作するすべての技術同義語を含むことを明示しておく。
【００２４】
図１は本発明の好ましい実施例による情報分析システムの構成を示すブロック図であり、図２は図１に示した情報分析システムの動作の流れを示すフローチャートである。
【００２５】
図１に示すように、本発明の好ましい実施例による情報分析システム１００は、外部インターフェースモジュール１１０，データベース１２０，データ初期化モジュール１３０およびデータディスプレイモジュール１４０で構成され、前記各モジュール１１０〜１４０間の相互動作およびデータの流れは、制御モジュール１０１によって全体的に制御される。
【００２６】
図１および図２を参照すると、まず、外部インターフェースモジュール１１０は、外部の有線もしくは無線通信網または外部装置とのデータ交換が可能になるようにインターフェース機能を行うことによって、外部通信網またはユーザによって入力される情報資料リストおよびその情報資料リストに対応される情報資料が入力される（ステップ：Ｓ１）。
【００２７】
データベース１２０は、外部インターフェースモジュール１１０によって入力される情報資料リストおよびその情報資料リストに対応される情報資料を保存する（ステップ：Ｓ２）。このとき、前記情報資料リストは、エクセルファイルで作成された特許公報リストである。また、前記情報資料は、例えば前記特許公報リストに対応されたＰＤＦ形態の特許公報である。
【００２８】
この場合、前記情報資料は、特許公報に限定されるという意味ではなく、特許公報のように一定の識別項目を有する文書を含む概念である。同様に、情報資料リストは、特許公報リストに限定されるものではなく、前記一定の識別項目を有する文書のリストを意味する。
【００２９】
好ましくは、前記特許公報は、データベース内で前記情報資料リストが保存されたフォルダの下位フォルダに別途保存される。例えば、前記特許公報リストが、ｄ：￥ｉｐｅｘｐｅｒｔ￥ｄａｔａ￥ｅｘｃｅｌ＿ｓａｍｐｌｅ＿ｋｒ．ｘｌｓの形態で保存されると、特許公報は、ｄ：￥ｉｐｅｘｐｅｒｔ￥ｄａｔａ￥ｐｄｆ￥￥＿ｊｐ０１．ｐｄｆ〜ｊｐ６０．ｐｄｆの形態で保存できる。つまり、特許公報は、特許公報リストが保存された「ｄａｔａ」フォルダの下位フォルダである「ｐｄｆ」フォルダに保存できる。
【００３０】
データ初期化モジュール１３０は、データベース１２０に保存された情報資料リスト、つまり、特許公報リストにそれぞれの特許公報を対応させて指定された形式で特許公報リストを初期化する（ステップ：Ｓ３）。
【００３１】
このとき、指定された形式とは、他のモジュール、例えばディスプレイモジュール１４０，制御モジュール１０１などによって使用できる約束された書式形態を保持するエクセルファイルを意味する。
【００３２】
例えば、特許公報リストである変換されたエクセルファイルには、その下位フォルダである「ｐｄｆ」フォルダに保存されている特許公報の特許公報名とそれぞれ１：１で対応する「公報番号」列が存在して、動作時に特定公報番号を選択すると、それに対応する特許公報が選択できるようにする。
【００３３】
このとき、前記公報番号に該当する特許公報が部分的に存在しない場合にも初期化は行われる。つまり、初期化が行われた特許公報リストでは、部分的に特許公報が存在しない公報番号が存在する。
【００３４】
この場合、特許公報が存在する公報番号は正常的に対応されて該当する特許公報を選択することができ、特許公報が存在しない公報番号に対しては、選択時に案内メッセージおよびデフォルト画面がディスプレイできる。例えば、特許公報が１つも保存されていない場合には、初期化は行われずにエラーメッセージが出力される。
【００３５】
このように、初期化された特許公報リストおよび特許公報は、データディスプレイモジュール１４０によって同一画面上にディスプレイされる（ステップ：Ｓ４）。ユーザは、ディスプレイされた特許公報リストと特許公報を見ながら、データディスプレイモジュール１４０が提供する多様な機能を使用して情報分析を行うことができる（ステップ：Ｓ５）。
【００３６】
図３は、図１に示したデータディスプレイモジュール１４０の形態を示す例示図であって、図３を参照すると、データディスプレイモジュール１４０は、基本メニュー領域１４１，検索領域１４２，データディスプレイ領域１４３，作業領域１４４および状態ディスプレイ領域１４５をディスプレイする。
【００３７】
基本メニュー領域１４１は、特許情報分析のための基本的な機能が選択できるメニューを提供する。基本メニュー領域１４１は、プルダウン形態のテキストメニューで提供されるか、または機能が連想できる代表イメージの形態で提供されるアイコンメニューで提供できる。
【００３８】
検索領域１４２は、データディスプレイ領域１４３にローディングされた特許公報リストにおいてキーワード入力を通じて所望の特許公報が検索できるように、検索ウィンドウを提供する。前記検索ウィンドウでは、公報番号検索，重要度検索，コード検索，コメント検索などの項目に対するキーワード検索を可能にする。このとき、重要度およびコードは、作業の便宜性のためにユーザが指定できる項目であって、以後に詳しく説明する。
【００３９】
データディスプレイ領域１４３は、初期化された特許公報リストおよびその特許公報リストから選択される少なくとも１つの特許公報を１つの画面上で同時にディスプレイする。
【００４０】
図４は、図３に示したデータディスプレイ領域１４３の構成を説明するための例示図であって、図４に示すように、データディスプレイ領域１４３は、データ初期化モジュールによって初期化された特許公報リストをディスプレイする前記特許公報リストのディスプレイ領域１４３ａおよびその特許公報リストに対応される少なくとも１つの特許公報をディスプレイする前記特許公報のディスプレイ領域１４３ｂからなる。
【００４１】
このとき、前記特許公報リストのディスプレイ領域１４３ａにディスプレイされる特許公報リストは、基本メニュー領域１４１で提供される特定メニューの選択を通じてローディングされる。例えば、「ＯＰＥＮ」メニューを通じてローディングが可能である。
【００４２】
また、前記特許公報リストのディスプレイ領域１４３ａに特許公報リストが初めてローディングされた時点では、前記特許公報リストの最上位に位置した項目に対応された特許公報が前記前記特許公報のディスプレイ領域１４３ｂにディスプレイされる。
【００４３】
特許公報リストがローディングされ、そのうちいずれか１つの特許公報が選択されると、その特許公報の公報番号に１：１で対応する特許公報が前記特許公報のディスプレイ領域１４３ｂにディスプレイされる。これにより、ユーザは、特許公報リストと特許公報とを同時に分析し編集できるようになる。
【００４４】
図４に示すように、前記特許公報リストのディスプレイ領域１４３ａはデータディスプレイ領域１４３の左側に配置され、前記特許公報のディスプレイ領域１４３ｂはデータディスプレイ領域１４３の右側に配置される形態を有する。しかし、その逆の構成、すなわち、前記特許公報のディスプレイ領域１４３ｂをデータディスプレイ領域１４３の左側に配置し、前記特許公報リストのディスプレイ領域１４３ｂはデータディスプレイ領域１４３の右側に配置する形態も可能である。また、実施環境によっては、上下配置、下上配置など多様な形態の配置も可能である。
【００４５】
このような配置の選択は、基本メニュー領域１４１で提供されるメニューを通じて、ユーザが所望するフォーマットで選択できるようにする。また、選択によっては、前記特許公報リストのディスプレイ領域１４３ａのみをディスプレイするか、または前記特許公報のディスプレイ領域１４３ｂのみをディスプレイするか、あるいは特定特許公報をフルスクリーンでディスプレイすることもできる。このような選択は、基本メニュー領域１４１の特定メニュー、例えば、「環境設定」のようなメニューを通じて選択することができる。
【００４６】
このようにしてデータディスプレイ領域１４３に表示される特許公報リストおよび特許公報は、特許分析の際に、作業領域１４４によって操作される。
【００４７】
図５は、図３に示した作業領域１４４の構成を説明するための例示図であって、図５に示すように、作業領域１４４は、ブックマーク作業領域１４４ａ，キーワード検索領域１４４ｂ，特許公報ナビゲーション領域１４４ｃからなる。
【００４８】
ブックマーク作業領域１４４ａは、データディスプレイ領域１４３によって表示される特許公報リストから特定の特許公報に速やかに移動できるようにする特許公報ショートカット機能および特定の公報内から特定ページまたは識別項目に速やかに移動できるようにするページ／識別項目ショートカット機能を行う。
【００４９】
このとき、前記ブックマーク作業領域１４４ａから提供されるショートカット機能は、階層構造の管理が可能であり、ブックマーク管理ボタンを通じて新しいブックマークの登録が可能である。図６ａは、このようなブックマーク管理ボタンを用いてショートカットを挿入する例を示す例示図である。
【００５０】
図６ａを参照すると、ブックマーク作業領域１４４ａ内に配置されたブックマーク管理ボタン１４４ｅを用いて、ブックマーク管理フレーム１４４ｆを呼び出した後、ブックマーク登録ウィンドウ１４４ｇを用いて新しいショートカットが追加できることが分かる。
【００５１】
また、登録されたブックマーク項目は、簡単な操作、例えばマウスの右側ボタンのメニューを用いて、その名称の修正および削除が可能である。図６ｂは、登録されたショートカットの修正および削除例を示す例示図で、これによると、修正または削除を所望のブックマーク項目にマウスの右側ボタンをクリックして、修正または削除を選択して行うことができることが分かる。
【００５２】
キーワード検索領域１４４ｂは、データディスプレイ領域１４３によってディスプレイされる特許公報内で特定キーワードを検索するための検索機能を提供する。例えば、ユーザは前記キーワード検索領域１４４ｂで「特許」，「前記」などのキーワードを入力することによって、特許公報内で該当するキーワードが記載された部分が検索できる。このとき、検索されたキーワードは、データディスプレイ領域１４３によってディスプレイされる特許公報上で特定色で表示される。
【００５３】
このとき、前記キーワードは、複数のキーワードを用いた検索が可能である。例えば、２０字以内の３つのキーワードまで登録可能であり、この場合、各キーワードは、特許公報内で異なる色で表示される。
【００５４】
特許公報ナビゲーション領域１４４ｃは、データディスプレイ領域１４３によってディスプレイされる特許公報から所望の部分に速やかに移動できるようにする機能を行う。この特許公報ナビゲーション領域１４４ｃは、最初のページへの移動ボタン，前のページへの移動ボタン，次のページへの移動ボタン，最後のページへの移動ボタン，自動表示ボタン，自動表示終了ボタンおよびスキップボタンで構成される。
【００５５】
この場合、自動表示は、該当する公報をページ別に順次にディスプレイできるようにする機能を有するボタンであって、自動表示が実行されると、前記公報ナビゲーション領域のボタン以外に他の操作ボタンを使用できないようにする。
【００５６】
スキップボタンは、自動表示の実行時に、他の特許公報に移動できるようにするボタンを意味する。このとき、スキップボタンを通じて移動された特許公報上でも自動表示は続いて実行される。自動表示の終了は、自動表示終了ボタンによって行われる。このような自動表示は、基本メニュー領域１４１に存在する特定メニュー、例えば「自動表示設定」のようなメニューを通じて動作設定が可能である。
【００５７】
図７は、このような自動表示設定メニューによって呼び出された自動表示設定ウィンドウの例を示す例示図であって、図７を参照すると、自動表示メニューを用いて呼び出された自動表示設定ウィンドウ１４４ｈで識別項目およびページ別に自動表示を設定することができ、ページ転換時間も設定できることが分かる。
【００５８】
状態ディスプレイ領域１４５は、データディスプレイ領域１４３にディスプレイされている特許公報リストおよび特許公報の情報を簡略にディスプレイする。例えば、現在ディスプレイされている特許公報リストの名称と特許公報の件数および現在選択された特許公報の名称がディスプレイできる。
【００５９】
一方、データディスプレイモジュール１４０によってディスプレイされる特許公報リストは、各特許公報別に重要度およびコードが付加できる。これは、基本メニュー領域１４１の特定メニュー、例えば「重要度管理」メニューおよび「コード管理」メニューを通じて付加することができる。このとき、重要度は分析時にユーザが特許公報の重要性の如何に応じて差のあるコードを与えることを意味する。
【００６０】
図８は、重要度管理メニューによって呼び出された重要度管理ウィンドウの例を示す例示図である。図８を参照すると、各特許公報をその重要度によって分類できることが分かり、それに対応する重要度コードが付加できることが分かる。この重要度コードは、各特許公報の技術分類に応じて差があるように与えられるコードを意味する。
【００６１】
図９は、コード管理メニューを通じて呼び出されたコード管理ウィンドウの例を示す例示図である。図９を参照すると、各特許公報を技術種類によって、大分類，中分類，小分類に分け、それに対応されるコードを与えていることが分かる。
【００６２】
このような重要度およびコードは、データディスプレイ領域１４３を通じてディスプレイされる特許公報リストにディスプレイされることができ、検索領域１４２を用いて重要度検索およびコード検索が可能である。
【００６３】
以上、本発明についてその好ましい実施例を参照して説明したが、該当技術分野における熟練された当業者は、下記の特許請求の範囲に記載の本発明の技術的な思想および領域から脱しない範囲内で本発明を多様に修正および変更して実施できることが理解できるだろう。
【００６４】
上記実施例においては、公報形態がＰＤＦである場合を例にして説明したが、特許公報以外のＧＩＦ、ＪＰＧ、ＴＩＦ、ＴＸＴ、ＷＯＲＤなどの形態の色々なイメージ基盤の文書またはテキスト基盤の文書に対しても本発明の情報分析システムを適用することができる。
【００６５】
また、特許公報ナビゲーション機能のうち、特許公報をマニュアル操作により画面上でページ送りする際、スクリーニングのエラーを防止し、かつ、スクリーニングの結果を直ちに利用可能とするため、例えば閲覧中のコンテンツから次のコンテンツの先頭ページに順次移動させる際、特定のキーを押さないかぎり、ページ送りができないようにすることもできる。
【００６６】
また、表示されたページの所定の領域に、その特許公報の重要性などを例えばマウスまたはペン型のインターフェイスによりマーキング可能とし、マーキングされたら、そのマーキング番号と当該ページ上のマーキングロケーションとを関連づけて記憶させるアノテーション機能を付加することもできる。
【００６７】
さらには、ファイルを閉じ、再度ファイルを開いた場合、前回閲覧したコンテンツが表示される機能，また、再び閲覧したいページに対して、ユーザーがしおりや付箋を貼付可能とするしおり／付箋機能を付加することもできる。
【図面の簡単な説明】
【００６８】
【図１】本発明の好ましい実施例による情報分析システムの構成を示すブロック図。
【図２】図１に示す情報分析システムの動作の流れを示すフローチャート。
【図３】図１に示すデータディスプレイモジュールの形態を示す例示図。
【図４】図３に示すデータディスプレイ領域の構成を説明するための例示図。
【図５】図３に示す作業領域の構成を説明するための例示図。
【図６ａ】ブックマーク登録ボタンを用いて、ショートカットを挿入する例を示す例示図。
【図６ｂ】登録されたショートカットの修正および削除例を示す例示図。
【図７】自動表示設定メニューによって呼び出された自動表示設定ウィンドウの例を示す例示図。
【図８】重要度管理メニューによって呼び出された重要度管理ウィンドウの例を示す例示図。
【図９】コード管理メニューによって呼び出されたコード管理ウィンドウの例を示す例示図。
【符号の説明】
【００６９】
１００  情報分析システム
１０１  制御モジュール
１１０  外部インターフェースモジュール
１２０  データベース
１３０  データ初期化モジュール
１４０  データディスプレイモジュール
１４１  基本メニュー領域
１４２  検索領域
１４３  データディスプレイ領域
１４４  作業領域
１４５  状態ディスプレイ領域
【図１】
2007219574.tif 000003
【図２】
2007219574.tif 000004
【図３】
2007219574.tif 000005
【図４】
2007219574.tif 000006
【図５】
2007219574.tif 000007
【図６ａ】
2007219574.tif 000008
【図６ｂ】
2007219574.tif 000009
【図７】
2007219574.tif 000010
【図８】
2007219574.tif 000011
【図９】
2007219574.tif 000012